(57)【要約】【課題】１つの小型軽量のコントローラで、大形の無線通信機本体を経由した無線通信と、大形の無線通信機本体を経由せずに、コントローラ単独で、直接、他の一般の無線通信機との無線通信を可能とすること。【解決手段】無線通信機本体と、操作部を備えたコントローラとが着脱可能に構成されているとともに、相互通信手段を介して前記無線通信機本体と前記コントローラ間で相互に通信を行って、前記コントローラの前記操作部と前記無線通信機本体の無線通信部を利用して外部との無線通信が可能に構成されてなる無線通信機において、前記コントローラは、コントローラ側無線通信部を内蔵し、前記相互通信手段を介して前記無線通信機本体の無線通信部をリモートコントロールすることによって外部との無線通信を行うリモート通信モードと、前記コントローラ側無線通信部を利用して、前記無線通信機本体の無線通信部を利用せずに、単独で直接的な外部との無線通信を行う直接無線通信モードの２つの通信モードを備えている。【選択図】図４
2014150331.tif 000002
【特許請求の範囲】
【請求項１】
無線通信機本体と、操作部を備えたコントローラとが着脱可能に構成されているとともに、相互通信手段を介して前記無線通信機本体と前記コントローラ間で相互に通信を行って、前記コントローラの前記操作部と前記無線通信機本体の無線通信部を利用して外部との無線通信が可能に構成されてなる無線通信機において、
前記コントローラは、
コントローラ側無線通信部を内蔵し、
前記相互通信手段を介して前記無線通信機本体の無線通信部をリモートコントロールすることによって外部との無線通信を行うリモート通信モードと、
前記コントローラ側無線通信部を利用して、前記無線通信機本体の無線通信部を利用せずに、単独で直接的な外部との無線通信を行う直接無線通信モード
の２つの通信モードを備えていることを特徴とする無線通信機。
【請求項２】
無線通信機本体と、操作部を備えたコントローラとが着脱可能に構成されているとともに、相互通信手段を介して前記無線通信機本体と前記コントローラ間で相互に通信を行って、前記コントローラの前記操作部と前記無線通信機本体の無線通信部を利用して外部との無線通信が可能に構成されてなる無線通信機用のコントローラであって、
コントローラ側無線通信部を内蔵し、
前記相互通信手段を介して前記無線通信機本体の無線通信部をリモートコントロールすることによって外部との無線通信を行うリモート通信モードと、
前記コントローラ側無線通信部を利用して、前記無線通信機本体の無線通信部を利用せずに、単独で直接的な外部との無線通信を行う直接無線通信モード
の２つの通信モードを備えていることを特徴とする無線通信機用のコントローラ。
【請求項３】
２つの通信モードの何れか一方の通信モードを選択して切り替える切り替え手段を備えていることを特徴とする請求項２に記載の無線通信機用のコントローラ。
【請求項４】
リモート通信モードが運用可能か否かを検出する検出手段を備えるとともに、
前記切り替え手段は、制御信号によって切り替え可能に構成され、
リモート通信モードが運用可能な場合には前記制御信号によって前記切り替え手段を制御して、当該コントローラをリモート通信モードで運用し、
リモート通信モードが運用可能でない場合には前記制御信号によって前記切り替え手段を制御して、当該コントローラを直接無線通信モードで運用することを特徴とする請求項２、３の何れか１項に記載の無線通信機用のコントローラ。
【請求項５】
前記切り替え手段は、
リモート通信モードが運用可能な場合であっても強制的に当該コントローラを直接無線通信モードに切り替え得るように構成されていることを特徴とする請求項４に記載の無線通信機用のコントローラ。
【請求項６】
前記コントローラは、
当該コントローラの動作電力を供給する二次電池を備えるとともに、
前記前記無線通信機本体と前記コントローラとが前記相互通信手段を介して相互通信可能である場合に、前記無線通信機本体から電力の供給を受けて前記二次電池に充電する充電手段を備えていることを特徴とする請求項２乃至５の何れか１項に記載の無線通信機用のコントローラ。
【請求項７】
前記無線通信機本体に備えられた前記本体側無線通信部は、アマチュア無線用の無線通信機能を備え、
前記コントローラに備えられた前記コントローラ側無線通信部は、アマチュア無線用の無線通信機能を備え、
前記コントローラ３を前記無線通信機本体２に接続してリモート通信モードで運用する場合にはアマチュア無線用の無線通信機として運用でき、前記コントローラ３を前記無線通信機本体２から取り外して単独で直接無線通信モードで運用する場合にはハンドヘルド型のアマチュア無線用の無線通信機として運用できるように構成されていることを特徴とする請求項１に記載の無線通信機。
【請求項８】
前記コントローラに備えられた前記コントローラ側無線通信部は、アマチュア無線用の無線通信機能を備え、
前記コントローラ３を前記無線通信機本体２から取り外して単独で直接無線通信モードで運用する場合にはハンドヘルド型のアマチュア無線用の無線通信機として運用できるように構成されていることを特徴とする請求項２乃至６の何れか１に記載のコントローラ。
【発明の詳細な説明】
【技術分野】
【０００１】
本発明は、無線通信機本体と該無線通信機本体の操作部を備えたコントローラとが着脱可能に構成されているとともに、相互通信手段を介して、操作信号を含んだ操作情報を相互に通信を行うように構成された無線通信機に関するものである。
【背景技術】
【０００２】
近年の無線通信機においては、無線通信機本体と該無線通信機本体の操作部を備えたコントローラとが着脱可能に構成されているものがある。その場合、前記無線通信機本体と前記コントローラとを接続ケーブルを含んだ接続コネクタを介して直接接続し、前記コントローラを前記無線通信機本体に装着した状態で一体化して使用する形態と、前記コントローラを前記無線通信機本体から取り外して分離させた状態で使用する形態の２つの使用形態が可能に構成されている。
この場合、前記コントローラは前記接続ケーブルの最大長さまでの範囲でしか、前記無線通信機本体から離して使用することはできなかった。
【０００３】
この改善策として、前記コントローラと前記無線通信機本体とに何らかの微弱電波や小電力無線や赤外線による近距離無線通信手段を備えることによって相互通信するように構成することが可能である（特許文献１の「データ送受信部」参照）。
【先行技術文献】
【特許文献】
【０００４】
【特許文献１】特開平１１−２２０７６５号公報
【発明の概要】
【発明が解決しようとする課題】
【０００５】
しかし、かかる近距離無線通信手段によって相互通信する構成では、前記コントローラは、あくまでも、前記無線通信機本体と組み合わせることによって、はじめて他の一般の無線通信機と交信することが可能であり、前記コントローラ単体では、他の一般の無線通信機と直接交信することはできなかった。
前記コントローラが備えている近距離無線通信手段は、あくまでも、特定の無線通信機本体と相互通信するためのものであり、前記特定の無線通信機本体に内蔵された無線通信部を介して、はじめて他の一般の無線通信機と交信できる。
【０００６】
従って、ユーザは、送信出力が大きく、受信感度も高い機能を利用したい場合には、大形で前記機能を備えている前記無線通信機本体を利用し、
送信出力が小さくても、受信感度が高くなくても良いが、とにかく小型で軽量な無線通信機を利用したい場合には、前記無線通信機本体と組み合わせて使用する前記コントローラでは役に立たないので、別途小型軽量の携帯型無線通信機を用意しなければならなかった。
このように、大形の無線通信機本体が必要であったり、小型軽量の携帯型無線通信機が必要であったりする場合には、前記コントローラと前記小型軽量の携帯型無線通信機の２つの無線通信機を用意しておかなければならないという問題があった。
そこで、本発明は、１つの小型軽量の携帯型無線通信機で、大形の無線通信機本体を経由した無線通信と、大形の無線通信機本体を経由せずに、直接、他の一般の無線通信機との無線通信を可能とすることを目的としてなされたものである。
【課題を解決するための手段】
【０００７】
本発明の請求項１にかかる無線通信機は、
無線通信機本体と、操作部を備えたコントローラとが着脱可能に構成されているとともに、相互通信手段を介して前記無線通信機本体と前記コントローラ間で相互に通信を行って、前記コントローラの前記操作部と前記無線通信機本体の無線通信部を利用して外部との無線通信が可能に構成されてなる無線通信機において、
前記コントローラは、
コントローラ側無線通信部を内蔵し、
前記相互通信手段を介して前記無線通信機本体の無線通信部をリモートコントロールすることによって外部との無線通信を行うリモート通信モードと、
前記コントローラ側無線通信部を利用して、前記無線通信機本体の無線通信部を利用せずに、単独で直接的な外部との無線通信を行う直接無線通信モード
の２つの通信モードを備えていることを特徴としている。
【０００８】
請求項２の無線通信機用のコントローラは、
無線通信機本体と、操作部を備えたコントローラとが着脱可能に構成されているとともに、相互通信手段を介して前記無線通信機本体と前記コントローラ間で相互に通信を行って、前記コントローラの前記操作部と前記無線通信機本体の無線通信部を利用して外部との無線通信が可能に構成されてなる無線通信機用のコントローラであって、
コントローラ側無線通信部を内蔵し、
前記相互通信手段を介して前記無線通信機本体の無線通信部をリモートコントロールすることによって外部との無線通信を行うリモート通信モードと、
前記コントローラ側無線通信部を利用して、前記無線通信機本体の無線通信部を利用せずに、単独で直接的な外部との無線通信を行う直接無線通信モード
の２つの通信モードを備えていることを特徴としている。
【０００９】
請求項３のコントローラは、
２つの通信モードの何れか一方の通信モードを選択して切り替える切り替え手段を備えている。
請求項４のコントローラは、
リモート通信モードが運用可能か否かを検出する検出手段を備えるとともに、
前記切り替え手段は、制御信号によって切り替え可能に構成され、
リモート通信モードが運用可能な場合には前記制御信号によって前記切り替え手段を制御して、当該コントローラをリモート通信モードで運用し、
リモート通信モードが運用可能でない場合には前記制御信号によって前記切り替え手段を制御して、当該コントローラを直接無線通信モードで運用するように構成されている。
請求項５のコントローラでは、
前記切り替え手段は、
リモート通信モードが運用可能な場合であっても強制的に当該コントローラを直接無線通信モードに切り替え得るように構成されている。
請求項６では、
前記コントローラは、
当該コントローラの動作電力を供給する二次電池を備えるとともに、
前記前記無線通信機本体と前記コントローラとが前記相互通信手段を介して相互通信可能である場合に、前記無線通信機本体から電力の供給を受けて前記二次電池に充電する充電手段を備えている。
【００１０】
請求項７に記載の無線通信機は、
前記無線通信機本体に備えられた前記本体側無線通信部は、アマチュア無線用の無線通信機能を備え、
前記コントローラに備えられた前記コントローラ側無線通信部は、アマチュア無線用の無線通信機能を備え、
前記コントローラを前記無線通信機本体に接続してリモート通信モードで運用する場合にはアマチュア無線用の無線通信機として運用でき、前記コントローラを前記無線通信機本体から取り外して単独で直接無線通信モードで運用する場合にはハンドヘルド型のアマチュア無線用の無線通信機として運用できるように構成されている。
請求項８に記載のコントローラでは、
前記コントローラに備えられた前記コントローラ側無線通信部は、アマチュア無線用の無線通信機能を備え、
前記コントローラ３を前記無線通信機本体２から取り外して単独で直接無線通信モードで運用する場合にはハンドヘルド型のアマチュア無線用の無線通信機として運用できるように構成されている。
【発明の効果】
【００１１】
本発明に係る無線通信機のコントローラは、
当該コントローラと無線通信機本体とを接続して無線通信機本体の無線通信部を利用して無線通信を行うリモート通信モードと、前記コントローラを無線通信機本体から分離させて、前記無線通信機本体の無線通信部を利用せずに、前記コントローラに内蔵されたコントローラ側無線通信部を利用して無線通信を行う直接無線通信モードの、２つの通信モードを備えているので、１つのコントローラを、前記無線通信機本体のコントローラとしての使い方と、前記コントローラ単体で無線通信機としての使い方の２通りの使い方が可能となる。
【図面の簡単な説明】
【００１２】
【図１】本発明の実施例１にかかる無線通信機を一体化した状態の正面外観図である。
【図２】前記無線通信機のコントローラを分離して近距離無線通信手段を介して前記無線通信機本体をリモートコントロールする状態の正面外観図である。
【図３】前記無線通信機のコントローラを分離して、直接無線通信モードで運用する状態のコントローラ単体の正面外観図である。
【図４】前記無線通信機（リモート通信モード）のブロック図である。
【図５】直接無線通信モードにおけるコントローラのブロック図である。
【発明を実施するための形態】
【００１３】
以下に、本発明にかかる無線通信機の実施形態を、図面を参照して説明する。
図１において、
１は前記無線通信機であり、無線通信機本体２とコントローラ３とから構成されている。前記コントローラ３は前記無線通信機本体２に対して着脱可能に構成されており、一体化した装着状態においては図示しないロック機構によって、不用意には分離されないように構成されている。
【００１４】
図２において、
前記無線通信機本体２の前面には、前記コントローラ３を装着するための装着部２１が窪んだ状態で構成されている。前記装着部２１の一部には、さらに凹部２１１が形成され、この凹部２１１には本体側接続コネクタ２２が配設されている。
この本体側接続コネクタ２２の内部側端子は、前記無線通信機本体２の内部に備えられている本体側相互通信部２３（後述）と電気的に接続されている。
【００１５】
図２、３において、
前記コントローラ３の外形は、前記装着部２１に装着可能な大きさと形状とされており、前記コントローラ３の背面には、前記本体側接続コネクタ２２と電気的に接続し得る構造のコントローラ側接続コネクタ３１を備え、前記コントローラ側接続コネクタ３１の内部側端子は前記コントローラ３の内部に備えられているコントローラ側相互通信部３２（後述）と電気的に接続されている。
【００１６】
図１、２において、
前記無線通信機本体２の前面の両脇部には、回転操作可能なメインダイヤルや押圧操作可能な操作ボタン等の本体側操作部２４が配設されている。
前記コントローラ３の前面の脇部には、回転操作可能なサブダイヤルや押圧操作可能な操作ボタン等のコントローラ側操作部３３が操作部として配設されている。
【００１７】
前記コントローラ３の前面の中央部には、タッチパネル機能を備えた高精細度の表示パネル３４が操作部として配設されており、前記無線通信機本体２における運用周波数や設定された設定情報に加え、前記無線通信機本体２にて処理中の信号の波形表示や、周波数スペクトル分布表示や、信号強度表示等のステータス情報を含んだ表示情報の全部もしくは一部が、前記無線通信機本体２から前記コントローラ３へ送出されて、前記表示パネル３４に表示されるように構成されている。
なお、前記コントローラ側操作部３３および前記表示パネル３４は、特許請求の範囲に記載された操作部に対応している。
【００１８】
また、前記表示パネル３４には、必要に応じた操作アイコンが表示され、表示された操作アイコンをタッチ操作等することによって、前記操作アイコンに割当てられた操作情報が入力され、前記コントローラ３から前記無線通信機本体２へ送出されるように構成されている。
また、前記コントローラ側操作部３３には送受信切り替え操作を行うＰＴＴスイッチを含んでもよい。
このように、前記本体側相互通信部２３と前記コントローラ側相互通信部３２によって双方向通信が行われるように構成されている。
なお、前記コントローラ側操作部３３の特定部分を操作、もしくは前記表示パネル３４の特定アイコンをタッチすることによって、前記コントローラ３は、リモート通信モードもしくは直接無線通信モードの何れかに切り替える切り替え手段が構成されている。
【００１９】
図３には、前記無線通信機本体２から完全に分離した状態の前記コントローラ３単体の正面外観図を示しており、前記コントローラ３の前面の配置は、上述した通りであるので、その説明を省略する。
【００２０】
図４は、実施例１にかかる無線通信機１のブロック図を示したものである。
図４において、
無線通信機本体２の筐体の内部には、前記本体側相互通信部２３と、本体側制御部２５と、本体側電源部２６と、本体側無線通信部２７とを備えている。また、前記無線通信機本体２には外部アンテナ２８が接続されている。
コントローラ３の筐体の内部には、コントローラ側無線通信部４と、前記コントローラ側相互通信部３２と、コントローラ側制御部３５と、リチウムイオン電池等の二次電池３６と、充電部３７と、内部アンテナ４１とを備えている。
【００２１】
前記本体側相互通信部２３は、特定の相互通信相手である前記コントローラ３と相互通信を行うものであり、接続コネクタや接続ケーブルを介して直接接続する機能や、無線ＬＡＮや微弱電波、小電力無線（Bluetooth(登録商標)など）、もしくは特定小電力無線等の近距離無線通信技術を用いて無線通信する機能を備えている。
【００２２】
前記コントローラ側相互通信部３２は、特定の相互通信相手である前記無線通信機本体２と相互通信を行うものであり、接続コネクタや接続ケーブルを介して直接接続する機能や、無線ＬＡＮや微弱電波、小電力無線（Bluetoothなど）、もしくは特定小電力無線等の近距離無線通信技術を用いて無線通信する機能を備えている。
【００２３】
前記本体側無線通信部２７は、前記コントローラ側無線通信部４に比較して、送信出力が大きく、また、外部アンテナ２８を接続することができ受信感度が高くなっており、より高機能の無線通信部である。電源は、前記本体側電源部２６から充分な電力が供給される。前記本体側電源部２６は、ＡＣ１００Ｖの商用電源もしくはＤＣ１２Ｖ、２４Ｖの車載バッテリー電源から供給されるように構成されている。
【００２４】
前記コントローラ側無線通信部４は、前記本体側無線通信部２７に比較して、小さな内蔵アンテナ４１を用いて、送信出力が小さく、受信感度も低くなっているが、当該コントローラ３に内蔵された二次電池３６を電源として、小電力で動作するように構成されている。
【００２５】
切り替え部３８は、前記コントローラ側操作部３３が所定の切り替え操作されると、前記コントローラ側無線通信部４もしくは前記コントローラ側相互通信部３２の何れか一方の通信部を選択して切り替えるように構成されている。
コントローラ側低周波増幅部３９には、コントローラ側マイクＭとコントローラ側スピーカＳとが音声入出力部として接続され、音声通信が可能に構成されている。
【００２６】
前記コントローラ側操作部３３が所定の切り替え操作されて、図４に示されたように、前記切り替え部３８において前記コントローラ側相互通信３２が選択されると、前記コントローラ３はリモート通信モードに移行し、
前記コントローラ側マイクＭから入力された音声信号は、前記コントローラ側低周波増幅部３９にて増幅され、前記切り替え部３８を介して前記コントローラ側相互通信３２から前記コントローラ側接続コネクタ３１へ出力され、
さらに、前記本体側接続コネクタ２２から前記本体側相互通信部２３を介して前記本体側無線通信部２７の変調回路（図示せず）にて変調されて大きな送信出力に増幅されて外部アンテナ２８から送信される。
【００２７】
前記外部アンテナ２８から入力された受信信号は前記本体側無線通信部２７にて増幅・復調され、前記本体側相互通信部２３から前記本体側接続コネクタ２２を介して前記コントローラ３側へ出力され、さらに、前記コントローラ側接続コネクタ３１と前記コントローラ側相互通信３２に入力され、前記切り替え部３８を介して前記コントローラ側低周波増幅部３９に入力されて増幅され、前記コントローラ側スピーカＳから音声出力される。
この場合には、前記コントローラ３は、前記無線通信機本体２と結合した状態で使用可能であり、前記無線通信機本体２の本体側無線通信部２７を利用できるので、大出力且つ高い受信感度で、遠距離等の他の一般の無線通信機と無線通信することができる。
【００２８】
前記コントローラ側操作部３３が所定の切り替え操作されて、図５に示したように、前記切り替え部３８において前記コントローラ側無線通信部４が選択されると、前記コントローラ３は直接無線通信モードに移行し、
前記コントローラ側マイクＭから入力された音声信号は、前記コントローラ側低周波増幅部３９にて増幅され、前記切り替え部３８を介して前記コントローラ側無線通信部４の変調回路（図示せず）にて変調され、前記内蔵アンテナ４１から送信される。
前記内蔵アンテナ４１から入力された受信信号は前記コントローラ側無線通信部４にて増幅・復調され、前記切り替え部３８を介して、前記コントローラ側低周波増幅部３９に入力されて増幅され、前記コントローラ側スピーカＳから音声出力される。
【００２９】
この場合には、前記コントローラ３は、前記無線通信機本体２から分離した状態で使用可能であり、前記無線通信機本体２の本体側無線通信部２７を利用せずに、単独で直接他の一般の無線通信機と無線通信することができる。このように、前記コントローラ３を直接無線通信モードで使用する場合には、前記無線通信機本体２と接続する必要がないので、小型軽量なコントローラ３を単体の携帯型の無線通信機として運用可能であり、また、持ち運ばなくても、小出力で運用することで省電力で運用可能であり、無駄な電力消費を防ぐとともに、小出力で運用することで、他の無線通信に与える影響も低減できる。
なお、前記コントローラ３を直接無線通信モードで使用する場合に、前記内蔵アンテナ４１に代えて外部アンテナを接続して使用することも可能である。
【００３０】
以上のように、リモート通信モードで運用する場合も直接無線通信モードで運用する場合も、同じコントローラの操作部を用いて同じ操作方法で操作運用が可能であるので、操作方法が分かりやすい。
リモート通信モードで運用する場合には、送信出力が大きく、高感度の無線通信機本体を利用して固定機、または車載機として運用可能であり、コントローラ単体で直接無線通信モードで使用する場合には、可搬性に優れたハンドヘルド機として運用可能である。
【００３１】
なお、以上の説明においては、前記無線通信機本体２および前記コントローラ３は、何れも特定の周波数や特定の送信出力や特定の電波形式等に限定されるものではない。
例えば、前記無線通信機本体２および前記コントローラ３を、アマチュア無線用に特化してもよい。この場合は、前記無線通信機本体２および前記コントローラ３は、何れもアマチュア無線用の無線通信機として所定の技術基準に適合する構成とする。なお、特許請求の範囲に記載されたアマチュア無線用の無線通信機能とは、アマチュア無線用の無線通信機として所定の技術基準に適合する構成によって実現される機能である。
アマチュア無線では、家庭や車両にセットして、大形の屋外アンテナ等の外部アンテナを接続した固定機を使用して遠距離通信する場合もあるが、小型のハンドヘルド機を携行して比較的近距離間で通信する場合もあるので、本発明によれば、前記無線通信機本体２に前記コントローラ３を接続してリモート通信モードで運用する場合にはアマチュア無線用の固定機として運用でき、前記コントローラ３を前記無線通信機本体２から取り外して単独で直接無線通信モードで運用する場合にはアマチュア無線用のハンドヘルド型無線機として運用できる。このとき、何れの使用形態でも、共通のコントローラを使用するので同じ操作方式、同じ設定で使用可能であり、非常に便利に使用できる。
【００３２】
以上の説明においては、ユーザが前記コントローラ側操作部３３もしくは前記表示パネル３４による切り替え手段を操作して、前記コントローラ３を、リモート通信モードもしくは直接無線通信モードの何れかに手動操作によって切り替える例を説明した、自動的に何れか一方に切り替えるように構成することも可能である。
自動的に切り替える場合には、例えば、前記コントローラ側相互通信部３２を介して前記無線通信機本体２の接続の有無を検出し、前記無線通信機本体２の接続の検出した際には自動的にリモート通信モードに切り替えて運用し、前記無線通信機本体２の接続が検出されなかった際には自動的に直接無線通信モードに切り替えて運用する。これらの通信モードは、前記表示パネル３４に表示される。
以上のように自動的に切り替えると便利ではあるが、リモート通信モードが可能な状況であっても省エネ等の目的から直接無線通信モードで運用したい場合もあるので、前記切り替え手段によって強制的に直接無線通信モードに切り替えるように構成してもよい。
【００３３】
なお、特許請求の範囲に記載された相互通信手段は、前記本体側相互通信部２３と前記コントローラ側相互通信部３２とに対応している。
また、特許請求の範囲に記載された切り替え手段は、前記切り替え部３８に対応し、特許請求の範囲に記載された検出手段は、前記コントローラ側相互通信部３２を介して前記無線通信機本体２の接続の有無を検出する機能に対応している。
【００３４】
また、図１に示したように、前記無線通信機本体２と前記コントローラ３とが、前記本体側接続コネクタ２２と前記コントローラ側接続コネクタ３１を介して直接接続されている状態では、前記無線通信機本体２の本体側電源部２６からの電力を、前記本体側接続コネクタ２２と前記コントローラ側接続コネクタ３１を介して前記コントローラ３側に供給し、前記コントローラ３においては、供給された前記電力を、前記充電部３７を介して前記二次電池３６に供給して、内蔵された前記二次電池３６を充電するように構成されている。
従って、直接無線通信モードで運用する場合には、前記コントローラ３は、充電された前記二次電池３６の電力を用いて作動することができる。
【００３５】
また、以上の説明においては、前記相互通信手段としては、接続端子を介して直接接続する形態を説明したが、前記相互通信手段としては、微弱電波、小電力無線（Bluetoothなど）、もしくは特定小電力無線等の近距離無線通信技術や、赤外線通信技術を用いた近距離通信技術や、有線もしくは無線に限らずＩＰ接続したＬＡＮ経由で相互通信する遠隔通信技術を採用することも可能である。
そして、このような複数の相互通信手段を実装し、通信環境に応じて、何れか１つの相互通信手段を手動もしくは自動的に選択するように構成することも可能である。
なお、このように直接接続以外の相互通信手段を採用する際には、接続する相手を特定する手段を併用することが望ましい。
【００３６】
また、以上においては、前記コントローラ３は、相互通信手段を介して、特定の前記無線通信機本体２と相互通信可能に構成されている例を示したが、異なる固体もしくは異なる機種の無線通信機本体と相互通信可能に構成することも可能である。
この場合には、前記無線通信機本体は、
当該無線通信機本体の機種毎に設定された機種ＩＤが予め書き込まれた機種ＩＤメモリと、
当該無線機本体に個別に設定された個別ＩＤが予め書き込まれた個別ＩＤメモリとを備え、
前記コントローラは、
当該コントローラが対応可能な無線通信機本体の機種毎の制御プログラムが機種ＩＤに対応させて予め書き込まれた制御プログラムメモリと、
前記制御プログラムが参照する設定情報が前記個別ＩＤに対応させて書き込まれた設定メモリとを備え、
前記相互通信手段を介して前記無線通信機本体の前記機種ＩＤメモリから機種ＩＤを読み出すとともに前記個別ＩＤメモリから個別ＩＤを読み出して前記コントローラに送出し、前記機種ＩＤに対応した前記制御プログラムを起動させ、前記起動させた制御プログラムが、前記個別ＩＤに対応した設定情報を参照して前記無線通信機本体を制御するように構成された制御手段を、前記コントローラもしくは前記無線通信機本体の少なくとも何れか一方に備えている構成とすることができる。
【符号の説明】
【００３７】
１  無線通信機
２  無線通信機本体
２２  本体側接続コネクタ
２３  本体側相互通信部、相互通信手段
２７  本体側無線通信部
３  コントローラ
３１  コントローラ側接続コネクタ
３２  コントローラ側相互通信部、相互通信手段
３３  コントローラ側操作部、操作部
３４  タッチパネル機能を備えた表示パネル、操作部
３６  二次電池
３７  充電部、充電手段
３４  表示パネル、表示手段
３８  切り替え部、切り替え手段
４  コントローラ側無線通信部
Ｓ  コントローラ側スピーカ、音声入出力部
Ｍ  コントローラ側マイク、音声入出力部
【図１】
2014150331.tif 000003
【図２】
2014150331.tif 000004
【図３】
2014150331.tif 000005
【図４】
2014150331.tif 000006
【図５】
2014150331.tif 000007